(57)【特許請求の範囲】
【請求項１】
対峙して配される一対のヘッダパイプと、この一対のヘッダパイプを連通する複数のチューブと、この各チューブ間に介在されたフィンとから成り、ヘッダパイプの上部から冷媒を流入し、流入された冷媒を一方のヘッダパイプの下部へ最終的に導くコンデンサと、内部に乾燥剤を配設したレシーバタンクとを具備し、前記一方のヘッダパイプには冷媒出口流路室及び該冷媒出口流路室より冷媒を送出する冷媒送出通路を有し、前記レシーバタンクは、前記コンデンサより送り出された冷媒の全部が流入する冷媒流入部と、レシーバタンク内で気体冷媒と分離された液冷媒をレシーバタンク外へ送り出す液冷媒送出部を有しており、前記一方のヘッダパイプの長手方向側面の一部を窪ませて凹部を形成し、該凹部に前記レシーバタンク本体の少なくとも一部が入り込んで接続されていることを特徴とするレシーバタンク一体型コンデンサ。
【発明の詳細な説明】
【０００１】
【産業上の利用分野】
この発明は、冷房サイクルの一部を構成するコンデンサとレシーバタンクとを一体にしたレシーバタンク一体型コンデンサに関する。
【０００２】
【従来の技術】
一般に、この種の熱交換器においては、装置の取付スペースの削減等の観点及び装置の取付の簡略化等の便宜を図るために、従来よりコンデンサの近傍、特にコンデンサの冷媒の出口部となるヘッダパイプ近傍にレシーバタンクを一体に設ける技術が種々提案されている（例えば、特開平２─２６７４７８号公報，実開平３─３１２６６号公報。）
【０００３】
この第一及び第二の先行技術（特開平２─２６７４７８号公報，実開平３─３１２６６号公報）は、ヘッダパイプにレシーバタンクの機能を持たせようとする主旨から、該ヘッダパイプに直接にレシーバタンクを付加していた。
【０００４】
しかしながら、上記第一及び第二の先行技術では、ヘッダパイプとレシーバタンクとが近接化のみならず一体化が図られることから、一応のスペースの削減の目的は達成したが、ヘッダパイプとレシーバタンクとが断面図を見れば明らかなように、二つの円形部材が連なり、コンデンサの横方向寸法を拡大する構成となる欠点を持っており、スペースの削減は充分でなかった。
【０００５】
また、実開平２−１０３６６７号公報に示す発明も提案されている。この発明は、出口側ヘッダパイプ１３の内部を弦部１５，１５を介して第１及び第２のパイプ室１６，１７に分割すると共に、該弦部１５，１５には貫通パイプ１８が形成されて前記第１のパイプ室６と第２のパイプ室１７と連通させ、また前記第１のパイプ室１６は複数の冷媒通路に連通され、前記第２のパイプ室１７は液吐出パイプ１９が接続されて構成の受液器内蔵型凝縮器であり、省スペース要請にも一応満足するものであった。
【０００６】
しかし、ヘッダパイプを横断面が略半円形のパイプが２個一体化したものだけが示されているにすぎず、断面積の減少からヘッダパイプ内の圧力損失が大きかった。さらに、コンデンサに余剰冷媒を溜めておくモジュレータを接続した構成を持つ特開平４−２２７４３６号の発明も提案されたが、レシーバタンクとモジュレータとは並設された構造が示されているだけで、スペースの削減としては不充分であった。
【０００７】
【発明が解決しようとする課題】
そもそも、レシーバタンクは、その長さがヘッダパイプの長さより短いのが一般的であり、またヘッダパイプは、その断面積は大きいほど、冷媒の圧力損失は小さくなり有利であるが、断面積を大きくすることはヘッダパイプの小型化という要請に対しては不利に働くことになる。かかるレシーバタンクとヘッダパイプの関係を認識しつつ、この発明が創作されたものである。
【０００８】
即ち、この発明はヘッダパイプを凹ませることで一層の省スペース化のみならず、圧力損失を必要最小限に抑えたレシーバタンク一体型コンデンサを提供することを目的とするものである。
【０００９】
【課題を解決するための手段】
この発明に係るレシーバタンク一体型コンデンサは、対峙して配される一対のヘッダパイプと、この一対のヘッダパイプを連通する複数のチューブと、この各チューブ間に介在されたフィンとから成り、ヘッダパイプの上部から冷媒を流入し、流入された冷媒を一方のヘッダパイプの下部へ最終的に導くコンデンサと、内部に乾燥剤を配設したレシーバタンクとを具備し、前記一方のヘッダパイプには冷媒出口流路室及び該冷媒出口流路室より冷媒を送出する冷媒送出通路を有し、前記レシーバタンクは、前記コンデンサより送り出された冷媒の全部が流入する冷媒流入部と、レシーバタンク内で気体冷媒と分離された液冷媒をレシーバタンク外へ送り出す液冷媒送出部を有しており、前記一方のヘッダパイプの長手方向側面の一部を窪ませて凹部を形成し、該凹部に前記レシーバタンクの本体の少なくとも一部が入り込んで接続されていることにある（請求項１）。
【００１０】
【作用】
したがって、この発明では、ヘッダパイプの一部に凹部と、これにヘッダパイプの長手方向でそのままの断面積を維持する部分を持っていることから、前記凹部にレシーバタンク本体の少なくとも一部が入り込み装置の小型化に寄与できると共に、ヘッダパイプの凹部が形成されていない所での断面積は大きく、流体の圧力損失を必要最小限に抑えることができる。
【００１１】
【実施例】
以下、この発明の実施例を図面により説明する。
【００１２】
図１乃至図３に、この発明に係るレシーバタンク一体型コンデンサの一例が示されており、該レシーバタンク一体型コンデンサ１は、コンデンサ２とレシーバタンク３とを一体に連結して組み付けられている。
【００１３】
コンデンサ２は、薄型の略矩形状に形成されており、互いに対峙して配される一対のヘッダパイプ４，５と、この一対のヘッダパイプ４，５を連通する複数の熱交換用のチューブ６と、この各チューブ６間に介在されたフィン７とを有して基本的に構成されている。
【００１４】
ヘッダパイプ４，５は、略円筒状のもので、チューブ６の端部を挿入する多数の挿入孔８が形成されたチューブ挿入用プレート１０ａ，１１ａと、断面円弧状のタンクプレート１０ｂ，１１ｂとを内部に仕切板１２，１３を挟んで最中状に重ね合わせて接合し、上下端をキャップ１５，１
６で塞いで構成されている。そしてこのヘッダパイプ４，５の内部には、流路室２０〜２３が画成される。
【００１５】
そしてこの一方のヘッダパイプ４は、その上方の流路室２０が冷媒の入口部を構成し、該流路室２０の側方に冷媒入口管３６が設けられ、該冷媒入口管３６から流路室２０に冷媒が供給されるようになっている。
【００１６】
また、他方のヘッダパイプ５は、その下方の冷媒出口流路室２３が冷媒の出口部を構成し、該ヘッダパイプ５を構成するタンクプレート１１ｂの上端から冷媒の出口部となる冷媒出口流路室２３に亘って該タンクプレート１１ｂが内部に向けて湾曲されており、この湾曲された部位にレシーバタンク３を保持するための凹部２４が設けられている。そして、この凹部２４は長手方向の一部を窪ませて形成され、その下端には、下記するコンデンサ側継手２６を固定するための冷媒送出通路２５が開口形成され、該冷媒送出通路２５にコンデンサ側継手２６が挿入固定されている。
【００１７】
コンデンサ側継手２６は、レシーバタンク３を着脱自在に連結するためのブロック状のもので、略楕円形状に形成されており、その両端部には螺子孔２７，２７が設けられた螺子止め部２８，２８が突出形成されていると共に、内部略中央に後述するレシーバタンク側継手３２の連結突起４２を挿入するための連通路２９が穿設されている。このコンデンサ側継手２６は、例えばヘッダパイプ５の冷媒送出通路２５に所謂トウチろう付け等によって固定される。
【００１８】
レシーバタンク３は、上記コンデンサ２の他方のヘッダパイプ５の凹部２４に適合するように略楕円形をなす円筒状に形成されており、略円筒状の胴部（レシーバタンク本体）３０の上端に下記する出口キャップ３１を、胴部３０の下端開口の冷媒流入部４６にレシーバタンク側継手３２を嵌合して塞ぎ、内部に乾燥剤３３とパイプ３４，３５とを配設している。そして、この出口キャップ３１およびレシーバタンク側継手３２は、その外周に図示しないＯリングが外嵌され、胴部３０の外方から例えば所謂電磁加締によって電磁力で加締結合されるようになっている。
【００１９】
出口キャップ３１は、レシーバタンク３内の冷媒量を視認するためのサイトグラス３７が設けられていると共に、冷媒の出口管３８がパイプ３５に連通して突出形成されている。
【００２０】
レシーバタンク側継手３２は、前記コンデンサ２のコンデンサ側継手２６に適合するブロック状に形成されたもので、略楕円形状に形成されており、その両端部には螺子孔４０，４０が設けられた螺子止め部４１，４１が突出形成されていると共に、下部略中央に前記コンデンサ側継手２６の突起挿入孔２９内に挿入される連通路４３を持つ連結突起４２が突出形成されている。そしてこのレシーバタンク側継手３２は、連結突起４２がコンデンサ側継手２６の連通路２９内に挿入され、コンデンサ側継手２６と螺子止め固定される。また、連結突起４２の中央に形成の連通孔４３は前記一方のパイプ３４の下端を挿入するためのパイプ嵌合孔４４が形成されている。
【００２１】
そしてこのようにコンデンサ側継手２６とレシーバタンク側継手３２とが連結されると、このコンデンサ側継手２６の連通路２９とレシーバタンク側継手３２の連通路４３とが連通され、その結果、コンデンサ側継手２６とレシーバタンク側継手３２とはコンデンサ２とレシーバタンク３とを接続する冷媒通路４５を構成することになる。
【００２２】
上記構成において、レシーバタンク３をコンデンサ２に組み付けるには、レシーバタンク３の胴部３０をコンデンサ２のヘッダパイプ５の凹部２４に沿わせ、レシーバタンク側継手３２の連結突起４２をコンデンサ側継手２６の連通路２９内に挿入してレシーバタンク３をコンデンサ側継手２６上に載置し、該コンデンサ側継手２６とレシーバタンク側継手３２とを螺子止め固定すればよい。
【００２３】
以上のように構成されるレシーバタンク一体型コンデンサ１は、冷媒入口管３６から一方のヘッダパイプ４の流路室２０に流入された高圧冷媒ガスが、該流路室２０に連通するチューブ６内を平行に流れて他方のヘッダパイプ５の流路室２１に至り、そこから仕切板１３より上方で連通するチューブ６内を逆に流れてヘッダパイプ４の流路室２２に至り、該流路室２２に連通するチューブ６内をヘッダパイプ５に向けて流れ、冷媒の出口部となる冷媒出口流路室２３に液化して集合する。そしてこの液冷媒は、冷媒出口流路室２３からコンデンサ側継手２６とレシーバタンク側継手３２とに構成された冷媒通路４５を介してレシーバタンク３内に吸い込まれ、パイプ３４，乾燥剤３３，パイプ３５を介して出口管３８から吸い上げられる。
【００２４】
しかるに、このレシーバタンク一体型コンデンサ１においては、上述したように、レシーバタンク３をコンデンサ２のヘッダパイプ５に設けたコンデンサ側継手２６に着脱自在に連結したので、その取り外しが可能であり、メンテナンス性の向上が図られるようになっている。そして、レシーバタンク３がコンデンサ２のコンデンサ側継手２６上に載置連結される構成であるから、該レシーバタンク３が容易に組付けられると共に、ヘッダパイプ５に設けた凹部２４に沿ってレシーバタンク３が保持されるから、装置全体が小型化できるものである。また、このコンデンサ側継手２６とレシーバタンク側継手３２とによってコンデンサ２の冷媒出口流路室とレシーバタンク３の入口側とを接続する冷媒通路４５を構成したから、従来問題であった外部配管を排除することが可能である。
【００２５】
次に、図４及び図５を参照しつつ、他の発明に係るレシーバタンク一体型コンデンサの一例を説明する。ただし、上記実施例のものと基本的に同一構成のものについては同一符号を付してその説明を省略し、以下、異なる点についてのみ説明する。
【００２６】
この実施例が上記と相違する点は、双方のヘッダパイプ４，５のタンクプレート１５を円筒状に形成し、この側壁にブロック状のコンデンサ側継手２６Ａを設けると共に、このコンデンサ側継手２６Ａに対応するレシーバタンク３の上部に該コンデンサ側継手２６Ａに適合するレシーバタンク側継手３２Ａを設けているところにある。
【００２７】
このコンデンサ側継手２６Ａ及びレシーバタンク側継手３２Ａは、各々コンデンサ２のヘッダパイプ５の冷媒の出口部となる冷媒出口流路室２３に対応する側壁の一部とレシーバタンク３の上部側壁にトウチろう付け等によって固定され、その内部に各々ヘッダパイプ５の側壁に設けた連通孔（冷媒送出通路）５１を介して冷媒出口流路室２３に連通する連通路５２と、レシーバタンク３に設けた連通路５３とが穿設されている。そしてこのコンデンサ側継手２６Ａ及びレシーバタンク側継手３２Ａは、ボルト５５を介して螺子止めされ、もってレシーバタンク３がコンデンサ２に連結されるようになっている。
【００２８】
この連結において、コンデンサ２のヘッダパイプ５の連通孔５１，コンデンサ側継手２６Ａの連通路５２及びレシーバタンク３の連通孔５３とが連通され、これらによってコンデンサ２とレシーバタンク３とを接続する冷媒通路５６が構成されるようになっている。
【００２９】
しかるに、このレシーバタンク一体型コンデンサ１においては、上記第一の発明に係るものと同様に、レシーバタンク３をコンデンサ２の出口部となるヘッダパイプ５に設けたコンデンサ側継手２６Ａに着脱自在に連結したので、その取り外しが可能であり、メンテナンス性の向上が図られるようになっている。そしてこのレシーバタンク３がコンデンサ２のコンデンサ側継手２６の側方側から取り付けられる構成であるから、該レシーバタンク３の組み付けを容易に行うことができる。また、このコンデンサ側継手２６Ａとレシーバタンク側継手３２Ａとの間にコンデンサ２の出口側とレシーバタンク３の入口側とを接続する冷媒通路５６を構成したから、従来問題であった外部配管を排除することが可能である。
【００３０】
なお、上記ヘッダパイプ５は、２枚のタンクプレートを接合する二分割構造のものであってもよい。
【００３１】
【発明の効果】
以上述べたように、この発明によれば、レシーバタンクのコンデンサへ一体化によって装置の車体への組み付けが容易に行えるものである。また、ヘッダパイプの長手方向側面に形成された凹部にレシーバタンク本体の少なくとも一部が入り込んで接続されていることから、該レシーバタンクのコンデンサからの突出量を少なくして、装置を小型化できるものであると共に、流体の圧力損失を必要最小限に抑えることが可能となるものである。
【図面の簡単な説明】
【図１】第一の発明に係るレシーバタンク一体型コンデンサの斜視図である。
【図２】同上の要部の断面図である。
【図３】同上の要部の分解斜視図である。
【図４】第二の発明に係るレシーバタンク一体型コンデンサの要部の斜視図である。
【図５】同上の要部の断面図である。
【符号の簡単な説明】
１  レシーバタンク一体型コンデンサ
２  コンデンサ
３  レシーバタンク
４，５  ヘッダパイプ
６  チューブ
７  フィン
２４  凹部
２５  継手連結部
２６，２６Ａ  コンデンサ側継手
３２，３２Ａ  レシーバタンク側継手
３３  乾燥剤
４５，５６  冷媒通路
【図１】
0003610518.tif 000002
【図２】
0003610518.tif 000003
【図３】
0003610518.tif 000004
【図４】
0003610518.tif 000005
【図５】
0003610518.tif 000006